(57)【要約】【課題】車体の側面を構成するサイドパネルよりも車幅方向内側の車体に固定され、車体の上下方向に延設されたロールバー部材を備えた車両用ロールバー構造において、サイドパネル９から延びて、ロールバー部材１５に連結する連結部材１７の車幅方向内側への変位を規制して、連結部材１７からロールバー部材１５への荷重伝達が途絶えるのを防止する。【解決手段】ロールバー部材１５の下側に延びる延設部１６にサイドパネル９から車幅方向内側に延びる連結部材１７を連結するための固定ブラケット１９を設ける。固定ブラケット１９における連結部材１７の車幅方向内端部よりも車幅方向内側に、連結部材１７の車幅方向内側への変位を規制する規制手段として突出部２２を設ける。【選択図】図２
2005306103.tif 000002
【特許請求の範囲】
【請求項１】
車体の側面を構成するサイドパネルよりも車幅方向内側の車体に固定され、車体の上下方向に延設されたロールバー部材を備えた車両用ロールバー構造であって、
上記ロールバー部材の下側の延設部には、上記サイドパネルから車幅方向内側に延びる連結部材を連結するための固定ブラケットが設けられ、
上記固定ブラケットには、上記連結部材の車幅方向内端部よりも車幅方向内側に、連結部材の車幅方向内側への変位を規制する規制手段が設けられていることを特徴とする車両用ロールバー構造。
【請求項２】
請求項１に記載の車両用ロールバー構造において、
上記規制手段は、固定ブラケットの車体前方側に突出する突出部からなることを特徴とする車両用ロールバー構造。
【請求項３】
請求項２に記載の車両用ロールバー構造において、
上記突出部は、固定ブラケットに一体に形成されており、
上記固定ブラケットの突出部よりも車体外側には、連結部材の車幅方向内端部を突出部に引っ掛け易くするように、周りの部分よりも変形し易い脆弱部が形成されていることを特徴とする車両用ロールバー構造。
【請求項４】
請求項１に記載の車両用ロールバー構造において、
上記規制手段は、ロールバー部材の延設部よりも車幅方向内側の車体に連結された支持部材よりなり、該支持部材は、固定ブラケットにも固定されていることを特徴とする車両用ロールバー構造。
【請求項５】
請求項４に記載の車両用ロールバー構造において、
上記支持部材は、車載機器を取り付ける取付ブラケットであることを特徴とする車両用ロールバー構造。
【請求項６】
請求項１〜５のいずれか１つに記載の車両用ロールバー構造において、
上記ロールバー部材の延設部の下端部は、サイドパネルをつなぐクロスメンバに固定されていることを特徴とする車両用ロールバー構造。
【請求項７】
請求項１〜６のいずれか１つに記載の車両用ロールバー構造において、
上記連結部材とサイドパネルとは、略車幅方向に延びるサイドパネル側締結部材によって連結され、
上記固定ブラケットには、被締結部材が固定されていると共に、その少なくとも一部がロールバー部材に設けた孔部内に位置し、
上記連結部材と固定ブラケットとは、連結部材に設けた貫通孔を通って略車体前後方向に延びるブラケット側締結部材を上記固定ブラケットの被締結部材に締結することで連結されており、
上記貫通孔は、ブラケット側締結部材の外周よりも大きく形成されていることを特徴とする車両用ロールバー構造。
【発明の詳細な説明】
【技術分野】
【０００１】
本発明は、車両用ロールバー構造に関するものである。
【背景技術】
【０００２】
従来より、オープンカーでは、その転倒時に乗員の頭部を保護するために車体の上下方向に延びるロールバー部材が設けられている。かかるロールバー部材の強度を向上させるために、ロールバー部材を車幅方向に延びる補強部材（連結部材）と結合させることが知られている。
【０００３】
例えば、特許文献１には、サイドパネルに固定された幌支持用ブラケットに車幅方向に延びる連結部材を固定し、該連結部材に対し、ロールバー部材を板状の固定ブラケットで挟み込み、連結部材によってロールバー部材とサイドパネルとを連結したものが知られている。
【０００４】
このようにロールバー部材をサイドパネルに連結することにより、側面衝突時などにロールバー部材によって側突荷重を受け止めて乗員を保護するようになっている。
【特許文献１】特開平１１−３２１３３４号公報
【発明の開示】
【発明が解決しようとする課題】
【０００５】
しかしながら、上記特許文献１の車両用ロールバー構造では、ロールバー部材を板状の固定ブラケットで挟み込んでサイドパネルに連結しているため、比較的大きな側突荷重がサイドパネル側から加わると、固定ブラケットがロールバー部材から外れたり、変形したりして側突荷重がロールバー部材へ十分に伝達されないという問題があった。
【０００６】
本発明は、かかる点に鑑みてなされたものであり、その目的とするところは、固定ブラケットの構成に工夫を加えることにより、連結部材の車幅方向内側への変位を規制して、連結部材からロールバー部材への荷重伝達が途絶えるのを防止することにある。
【課題を解決するための手段】
【０００７】
上記の目的を達成するために、この発明では、固定ブラケットの連結部材の車幅方向内端部よりも車幅方向内側に規制手段を設けた。
【０００８】
具体的には、第１の発明では、車体の側面を構成するサイドパネルよりも車幅方向内側の車体に固定され、車体の上下方向に延設されたロールバー部材を備えた車両用ロールバー構造を対象とする。
【０００９】
そして、上記ロールバー部材の下側の延設部には、上記サイドパネルから車幅方向内側に延びる連結部材を連結するための固定ブラケットが設けられ、該固定ブラケットには、上記連結部材の車幅方向内端部よりも車幅方向内側に、連結部材の車幅方向内側への変位を規制する規制手段が設けられている構成とする。
【００１０】
上記の構成によると、サイドパネルに過大な側突荷重がかかって、連結部材と固定ブラケットとを分離させる方向に力が加わっても、固定ブラケットに設けた規制手段により連結部材の変位が規制されるので、連結部材から固定ブラケット、すなわちロールバー部材への荷重伝達が途絶えることはない。
【００１１】
第２の発明では、上記規制手段は、固定ブラケットの車体前方側に突出する突出部からなるものとする。この構成によると、簡単な構成の規制手段が得られる。
【００１２】
第３の発明は、上記突出部は、固定ブラケットに一体に形成されており、上記固定ブラケットの突出部よりも車体外側には、連結部材の車幅方向内端部を突出部に引っ掛け易くするように、周りの部分よりも変形し易い脆弱部が形成されている構成とする。
【００１３】
上記の構成によると、突出部が固定ブラケットに一体に形成されているので、部品点数が減る。また、側突荷重がかかったときに真っ先に脆弱部が変形することにより、連結部材の車幅方向内端部が突出部に引っ掛かり易くなり、連結部材の変位が確実に該突出部によって規制される。
【００１４】
第４の発明は、上記規制手段は、ロールバー部材の延設部よりも車幅方向内側の車体に連結された支持部材よりなり、該支持部材は、固定ブラケットにも固定されている構成とする。
【００１５】
上記の構成によると、車体と固定ブラケットとの両者に連結した支持部材によって、規制手段を構成することにより、剛性の高い規制手段が得られ、連結部材を規制する効果がさらに向上される。
【００１６】
第５の発明は、上記支持部材は、車載機器を取り付ける取付ブラケットとする。この構成によると、支持部材を車載機器の取付ブラケットと兼用することで、部品点数を減らすことができる。
【００１７】
第６の発明では、上記ロールバー部材の延設部の下端部は、サイドパネルをつなぐクロスメンバに固定されているものとする。この構成によると、連結部材に伝達された側突荷重が剛性部材であるクロスメンバにも伝達されるので、さらに側突荷重に耐えうる車両用ロールバー構造が得られる。
【００１８】
第７の発明では、上記連結部材とサイドパネルとは、略車幅方向に延びるサイドパネル側締結部材によって連結され、上記固定ブラケットには、被締結部材が固定されていると共に、その少なくとも一部がロールバー部材に設けた孔部内に位置し、上記連結部材と固定ブラケットとは、連結部材に設けた貫通孔を通って略車体前後方向に延びるブラケット側締結部材を上記固定ブラケットの被締結部材に締結することで連結されており、上記貫通孔は、ブラケット側締結部材の外周よりも大きく形成されている構成とする。
【００１９】
上記の構成によると、連結部材の貫通孔内周とブラケット側締結部材外周との隙間によって、連結部材と固定ブラケットとの間の車幅方向の組付誤差が吸収される。また、固定ブラケットの被締結部材の少なくとも一部がロールバー部材に設けた孔部内に位置しているので、連結部材に側突荷重が加わっても、被締結部材が孔部に当接して、その側突荷重をロールバー部材に伝達することができる。さらに、ブラケット側締結部材が切断されるなどにより、連結部材が車幅方向内側へ変位しようとしても、突出部によってその変位は阻止される。
【発明の効果】
【００２０】
以上説明したように、上記第１の車両用ロールバー構造の発明によれば、サイドパネルに過大な側突荷重がかかったときでも、固定ブラケットに設けた規制手段により連結部材の変位を規制している。このため、連結部材からロールバー部材への荷重伝達が途絶えるのを防いで、側突荷重の吸収性能を確保することができる。
【００２１】
上記第２の発明によれば、固定ブラケットの車体前方側に突出した突出部により、簡単な構成の規制手段が得られる。
【００２２】
上記第３の発明によれば、固定ブラケットに一体に形成した突出部により、部品点数を増やすことなく連結部材の変位を規制できると共に、脆弱部の変形により、連結部材を確実に突出部に引っ掛けて、その変位を規制することができる。
【００２３】
上記第４の発明によれば、規制手段を剛性の高い車体に連結した支持部材としたことにより、連結部材を規制する効果をさらに向上させることができる。
【００２４】
上記第５の発明によれば、支持部材を車載機器の取付ブラケットと兼用したことにより、部品点数の少ない最適な車両用ロールバー構造が得られる。
【００２５】
上記第６の発明では、上記ロールバー部材の延設部の下端部をサイドパネルをつなぐクロスメンバに固定して、連結部材に伝達された側突荷重をクロスメンバにも伝達するようにしている。このため、さらに側突荷重に耐えうる車両用ロールバー構造が得られる。
【００２６】
上記第７の発明によると、ブラケット側締結部材の外周と連結部材の貫通孔内周との間の隙間によって、連結部材と固定ブラケットとの間の車幅方向の組付誤差を吸収するようにしている。このため、組付が容易な車両用ロールバー構造が得られる。
【発明を実施するための最良の形態】
【００２７】
以下、本発明の実施形態を図面に基づいて説明する。なお、以下の実施形態は、本質的に好ましい例示であって、本発明、その適用物や用途の範囲を制限することを意図するものではない。
【００２８】
図１は、オープンカーにおける車体１のシート４（図１に２点鎖線で示す）後側部分を示す。車体１は、フロントフロア部３と、該フロントフロア部３から車体後方側へ傾斜するように延びるキックアップ部５と、その後方のリアフロア部７と、左右のサイドパネル９とを備えている。また、キックアップ部５の上端部とリアフロア部７との境界には、左右のサイドパネル９をつなぐクロスメンバ６が設けられている。なお、図１では、車幅方向左側のサイドパネル９は省略している。
【００２９】
図２に拡大して示すように、上記左右のサイドパネル９には、該左右のサイドパネル９をつなぐように、本実施形態にかかる車両用ロールバー構造１１が設けられている。この車両用ロールバー構造１１は、オープンカーのベルトライン１２下方に設けられ、左右のサイドパネル９をつなぐクロスバー部材１３と、このクロスバー部材１３から上方に向かって略逆Ｕ字状に突設された２つのロールバー部材１５とを備えている。
【００３０】
上記クロスバー部材１３は、シート４の後方において車幅方向に延び、その両端部が左右のサイドドア後方のサイドパネル９にそれぞれ設けた平面視略Ｌ字状のリンクブラケット１４に取り付けられている。このリンクブラケット１４は、オープンカーの幌（図示せず）を回動自在に支持するものである。
【００３１】
上記各ロールバー部材１５は、鋼製の丸パイプを略逆Ｕ字状に折り曲げて略左右対称に形成したものであり、そのサイドパネル９側の下端部は上記クロスバー部材１３を貫通して他方の下端部よりも下側に延びた延設部１６を形成している。上記クロスバー部材１３の上壁部及び下壁部には、それぞれ上記ロールバー部材１５の外径よりも若干大きいロールバー挿通孔１３ｂが設けられ、サイドパネル９側のロールバー挿通孔１３ｂに対応する前壁部には、それぞれ２つのボルト挿通孔（図示せず）が設けられている。すなわち、ロールバー部材１５のサイドパネル９側は、上記クロスバー部材１３のロールバー挿通孔１３ｂに挿通された状態で上記ボルト挿通孔に通したボルト５０によってクロスバー部材１３に締結固定されていると共に、ロールバー挿通孔１３ｂにおいてクロスバー部材１３と溶接されている。一方、ロールバー部材１５の車幅方向内側の下端部は、上記クロスバー部材１３の上壁部側のロールバー挿通孔１３ｂにのみ挿通され、該ロールバー挿通孔１３ｂにおいてクロスバー部材１３と溶接されている。
【００３２】
上記各ロールバー部材１５の延設部１６の下端部には、略三角形状の取付ブラケット１５ａが溶着されている。この取付ブラケット１５ａは、上記シート４後方のクロスメンバ６に３本のボルト５０で締結固定されている。
【００３３】
上記各ロールバー部材１５とサイドパネル９との間には、車幅方向に向かって延びる連結部材１７が設けられ、この連結部材１７によってサイドパネル９とロールバー部材１５の延設部１６とが連結されている。
【００３４】
上記連結部材１７は、一本のパイプからなり、その両端部１７ａ，１７ｂをそれぞれプレスして平坦な形状としたものである。車幅方向内側の平坦な端部１７ａは、ロールバー部材１５の延設部１６に設けた固定ブラケット１９にブラケット側締結部材５３によって締結されている。一方、サイドパネル９側の平坦な端部１７ｂは、サイドパネル９に略平行に車体前方側へ折り曲げられ、略車幅方向に延びるサイドパネル側締結部材５１によって締結されている。
【００３５】
図３及び図４に示すように、上記ロールバー部材１５の延設部１６の前側には、略円形の孔部１６ａが形成されている。この孔部１６ａを跨ぐように規制手段を備えた固定ブラケット１９が延設部１６に固定されている。
【００３６】
そして、本発明の特徴として、上記固定ブラケット１９は、鋼板をプレス加工したものよりなり、連結部材１７の端部１７ａが取り付けられる平坦な取付部２０と、この取付部２０の上下方向両端部の左右両端からそれぞれ延設部１６に向かって延びる４つのフランジ部２１とを備えている。４つのフランジ部２１は、取付部２０が跨いでいる延設部１６の軸線に対し略垂直に延び、それぞれその先端部が延設部１６の円周方向の外径に沿うように形成され、これら先端部が延設部１６に溶接されることで固定ブラケット１９が延設部１６に固定されている。
【００３７】
上記固定ブラケット１９の取付部２０には、上記延設部１６の孔部１６ａと同心に、その中央部にボルト挿通孔２０ａが開口されている。このボルト挿通孔２０ａに対応するように、その裏面には、被締結部材としてのウェルドナット５２が溶接により固定されている。そして、このウェルドナット５２の少なくとも一部が上記延設部１６の孔部１６ａに位置している。この孔部１６ａは、ウェルドナット５２の外周よりも大きな内径を有し、ウェルドナット５２の外周と孔部１６ａとの間には、若干隙間が設けられている。
【００３８】
一方、連結部材１７の端部１７ａの中央部には、上記ブラケット側締結部材５３よりも内径が大きな貫通孔１７ｃが形成されている。
【００３９】
そして、上記連結部材１７の貫通孔１７ｃを上記固定ブラケット１９のボルト挿通孔２０ａに合わせた状態で、車体前後方向に延びるブラケット側締結部材５３をこれら貫通孔１７ｃ及びボルト挿通孔２０ａに車体前側から挿通し、取付部２０裏面のウェルドナット５２に締結することで連結部材１７が固定ブラケット１９に連結されている。
【００４０】
上記取付部２０には、さらに前方側へ湾曲しながら車幅方向内側へ延びた規制手段としての突出部２２が一体に形成されている。図４に示すように、この突出部２２は平面視で連結部材１７の端部１７ａの延長線上に位置している。そして、取付部２０の車幅方向内側の突出部２２との境界には、車体の上下方向に延びる長孔２０ｂが開口され、この長孔２０ｂが開口することで、その周辺に脆弱部２３が形成されている。この脆弱部２３は、連結部材１７の車幅方向内端部を突出部２２に引っ掛け易くするように、周りの部分よりも変形し易いものとなっている。
【００４１】
−作用−
次に本実施形態にかかる車両用ロールバー構造１１の作用について説明する。まず、車体１に側突荷重が掛かると、サイドパネル９が変形し、そのサイドパネル９に連結された連結部材１７も車幅方向内側へ変位する。
【００４２】
次に、連結部材１７の車幅方向内側の端部１７ａに設けた貫通孔１７ｃの内面がブラケット側締結部材５３に当接し、そのブラケット側締結部材５３に螺合するウェルドナット５２がロールバー部材１５の延設部１６の孔部１６ａ内面に当接し、側突荷重がロールバー部材１５に伝達される。
【００４３】
それでも、連結部材１７の変位が止まらず、ブラケット側締結部材５３が切断されると、固定ブラケット１９は脆弱部２３を境に変形し、突出部２２が車体前側へ変形する。
【００４４】
そして、連結部材１７の先端が前方へ突出した突出部２２に当接し、連結部材１７の変位が規制され、側突荷重がロールバー部材１５に伝達される。
【００４５】
−実施形態１の効果−
したがって、本実施形態にかかる車両用ロールバー構造１１によると、サイドパネル９に過大な側突荷重がかかったときでも、固定ブラケット１９に設けた突出部２２により連結部材１７の変位を規制している。このため、連結部材１７からロールバー部材１５への荷重伝達が途絶えるのを防いで、側突荷重の吸収性能を確保することができる。
【００４６】
また、固定ブラケット１９に一体に形成した突出部２２により、簡単な構成で、部品点数を増やすことなく連結部材１７の変位を規制できると共に、脆弱部２３を変形させることにより、連結部材１７を確実に突出部２２に引っ掛けて、その変位を確実に規制することができる。
【００４７】
また、上記ロールバー部材１５の延設部１６をクロスメンバ６に固定して、連結部材１７に伝達された側突荷重をクロスメンバ６にも伝達するようにしている。このため、車両用ロールバー構造１１をさらに側突荷重に耐えうるものとすることができる。
【００４８】
また、ブラケット側締結部材５３の外周と連結部材１７の貫通孔１７ｃ内周との間の隙間によって、連結部材１７と固定ブラケット１９との間の車幅方向の組付誤差を吸収するようにしている。このため、組付が容易な車両用ロールバー構造１１が得られる。
【００４９】
−実施形態１の変形例−
上記実施形態１では、固定ブラケット１９の取付部２０に前方側へ湾曲しながら車幅方向内側へ延びる突出部２２を一体に形成して規制手段を構成したが、図５に示すように、まっすぐに延長した取付部２０を前方から見てコ字状にスリット状に切り欠いて、残った略句形状の部分を手前側に折り曲げて突出部１２２を構成してもよい。
【００５０】
また、図６に示すように、固定ブラケット１９の取付部２０を車幅方向内側に延長し、その延長した部分にネジ孔（図示せず）を設け、このネジ孔に立方体状のブロックをボルト５０で締結して突出部２２２としてもよい。
【００５１】
さらに、上記実施形態では、固定ブラケット１９に脆弱部２３を形成したが、必ずしも設けなくてもよい。
【００５２】
また、ロールバー部材１５は必ずしもクロスバー部材１３に固定しなくてもよい。その場合には、ロールバー部材１５の車幅方向内側の下端部もクロスメンバ６に固定すればよい。
【００５３】
（実施形態２）
図７及び図８は本発明の実施形態２を示し、固定ブラケット１９の構成が異なる点で上記実施形態１と異なる。なお、図１〜図４と同じ部分については同じ符号を付してその詳細な説明は省略する。
【００５４】
図７に示すように、クロスバー部材１３におけるロールバー部材１５の延設部１６よりも車幅方向内側には、２つのネジ孔（図示せず）が設けられており、このネジ孔には、支持部材としての略矩形板状のアンプ取付ブラケット２５がボルト５０によって締め付けられている。このアンプ取付ブラケット２５の裏面には、車載機器としてのアンプ２６が取り付けられている。
【００５５】
上記アンプ取付ブラケット２５の車幅方向外側下端部は、固定ブラケット１９の車幅方向内端部にもボルト５０によって締め付け固定されている。図８に示すように、アンプ取付ブラケット２５の車幅方向外側には、車体前方へ折り曲げられた折曲部２７が設けられており、この折曲部２７が規制手段の役割を果たしている。
【００５６】
−作用−
次に本実施形態にかかる車両用ロールバー構造１１の作用について説明する。上記実施形態１と同様に、車体１に側突荷重が掛かると、サイドパネル９が変形し、そのサイドパネル９に連結された連結部材１７も車幅方向内側へ変位する。
【００５７】
次に、連結部材１７の車幅方向内側の端部１７ａに設けた貫通孔１７ｃの内面がブラケット側締結部材５３に当接し、そのブラケット側締結部材５３に螺合するウェルドナット５２がロールバー部材１５の延設部１６の孔部１６ａ内面に当接する。
【００５８】
それでも、連結部材１７の変位が止まらず、ブラケット側締結部材５３が切断されると、連結部材１７の先端がアンプ取付ブラケット２５の折曲部２７に当接する。
【００５９】
このアンプ取付ブラケット２５は、クロスバー部材１３にも堅固に固定されているため、連結部材１７の変位が効果的に規制される。
【００６０】
仮に連結部材１７が上記折曲部２７よりも車幅方向内側へ変位しようとしても、車幅方向内側の、取付ブラケット２５を固定ブラケット１９に締め付けるボルト５０によってその変位は阻止され、側突荷重は、クロスバー部材１３に伝達される。
【００６１】
−実施形態２の効果−
したがって、本実施形態にかかる車両用ロールバー構造１１によると、ロールバー部材１５の延設部１６よりも車幅方向内側のクロスバー部材１３に連結したアンプ取付ブラケット２５の折曲部２７を連結部材１７の変位を規制する規制手段とすることにより、剛性の高い規制手段で連結部材１７を効果的に規制することができる。
【００６２】
また、支持部材をアンプ２６の取付ブラケット２５と兼用することで、部品点数を減らすことができる。
【００６３】
−実施形態２の変形例−
上記実施形態２では、アンプ取付ブラケット２５の車幅方向外側に折曲部２７を設けている。一方、本変形例では、図９及び１０に示すように、連結部材１７の車幅方向内端部がさらに車幅方向内側へ延設され、その先端に長孔状に切り欠かれた切欠部２８が設けられている。さらに、この連結部材１７の車幅方向内端部は、車体前方側へ若干折り曲げられている。そして、固定ブラケット１９の取付部２０と連結部材１７の車幅方向内端部の裏面との隙間に、アンプ取付ブラケット２５の車幅方向外側下端部を挿入して、ボルト５０が車体後側から固定ブラケット１９、アンプ取付ブラケット２５及び連結部材１７の順に挿入して、ナット５４に締め付けられている。なお、図９では、ナット５４は省略されている。
【００６４】
以上のように、長孔状の切欠部２８を設けることで、連結部材１７の車幅方向の取付誤差を吸収することができる。また、連結部材１７の車幅方向内側への変位がボルト５０によって阻止され、側突荷重は、クロスバー部材１３にも伝達される。
【００６５】
また、上記変形例のように、連結部材１７の車幅方向内端部を車体前方側へ若干折り曲げなくてもよく、図１１に示すように、まっすぐに延びた端部１７ａを設け、ボルト５０を固定ブラケット１９、連結部材１７及びアンプ取付ブラケット２５の順に挿入して、ナット５４に締め付けてもよい。
【００６６】
（その他の実施形態）
本発明は、上記各実施形態について、以下のような構成としてもよい。
【００６７】
すなわち、上記各実施形態では、ロールバー部材１５のサイドパネル９側のみを下方へ延設し、延設部としているが、車幅方向内側のみを延設部としてもよい。この場合には、連結部材１７をさらに車幅方向内側へ延ばせばよい。
【００６８】
また、上記各実施形態では、連結部材１７を延設部１６の前方側へ設けているが、延設部１６の後方側へ設けてもよい。この場合には、延設部１６の後方側に孔部１６ａ、ウェルドナット５２、固定ブラケット１９などを設ければよい。
【００６９】
さらに、上記各実施形態では、延設部１６の下端部をクロスメンバ６に固定しているが、さらに下方まで延ばしてフロントフロア部に固定してもよい。
【００７０】
また、上記各実施形態では、オープンカーを対象としているが、オープンカーに限定されない。要は、車体の側面を構成するサイドパネルよりも車幅方向内側の車体に固定され、車体の上下方向に延設されたロールバー部材を備えた車両であればよい。この場合には、ロールバー部材の延設部をフロントフロア部に固定すればよい。
【産業上の利用可能性】
【００７１】
以上説明したように、本発明は、車体の側面を構成するサイドパネルよりも車幅方向内側の車体に固定され、車体の上下方向に延設されたロールバー部材を備えたオープンカーのような車両に用いるロールバー構造について有用である。
【図面の簡単な説明】
【００７２】
【図１】オープンカーにおける車体のシート後側部分を示す斜視図である。
【図２】本実施形態にかかる車両用ロールバー構造の要部を示す拡大斜視図である。
【図３】ロールバー部材の固定ブラケット周辺の拡大斜視図である。
【図４】図３のIV−IV線断面図である。
【図５】実施形態１の変形例にかかる車両用ロールバー構造の固定ブラケットの斜視図である。
【図６】実施形態１の他の変形例にかかる車両用ロールバー構造の固定ブラケットの斜視図である。
【図７】実施形態２にかかる車両用ロールバー構造を示す斜視図である。
【図８】図７のVIII方向矢視図である。
【図９】実施形態２の変形例にかかる車両用ロールバー構造の固定ブラケットの斜視図である。
【図１０】図９のＸ−Ｘ線断面図である。
【図１１】実施形態２の他の変形例にかかる車両用ロールバー構造の図１０相当図である。
【符号の説明】
【００７３】
１      車体
６      クロスメンバ
９      サイドパネル
１１      車両用ロールバー構造
１５      ロールバー部材
１５ａ    取付ブラケット
１６      延設部
１６ａ    孔部
１７      連結部材
１７ｃ    貫通孔
１８      サイドパネル側締結部材
１９      固定ブラケット
２２      突出部（規制手段）
２３      脆弱部
２５      アンプ取付ブラケット
２７      折曲部（規制手段）
５１      サイドパネル側締結部材
５２      ウェルドナット（被締結部材）
５３      ブラケット側締結部材
１２２      突出部（規制手段）
２２２      突出部（規制手段）
【図１】
2005306103.tif 000003
【図２】
2005306103.tif 000004
【図３】
2005306103.tif 000005
【図４】
2005306103.tif 000006
【図５】
2005306103.tif 000007
【図６】
2005306103.tif 000008
【図７】
2005306103.tif 000009
【図８】
2005306103.tif 000010
【図９】
2005306103.tif 000011
【図１０】
2005306103.tif 000012
【図１１】
2005306103.tif 000013